(57)【特許請求の範囲】
【請求項１】
外部電源から電力が供給され、試験室に配置された試料の雰囲気状態を所定条件に変化させて試験を行う試験部と、
外部電源から電力が供給され、前記試験部を制御する制御部と、
前記制御部と通信可能に接続されていると共に、外部電源からの電力供給が遮断された際に前記外部電源に代わって前記試験部及び前記制御部に電力を供給するバッテリーを有する電源部とを備えた環境試験装置であって、
前記制御部は、
前記バッテリーの供給可能電力の残量を取得する電力残量取得手段と、
前記試験部の運転モードを、前記試料の雰囲気状態を前記所定条件とする通常モードから、前記通常モードよりも消費電力を少なくしつつ前記所定条件で試験を行う省電力モード又は前記試料の雰囲気状態を前記所定条件から変更する条件変更モードに切り替えるモード切替手段と、
前記電力残量取得手段によって取得された前記バッテリーの供給可能電力の残量に基づいて、前記モード切替手段による運転モードの切り替えの要否を判断する判断手段とを備えていることを特徴とする環境試験装置。
【請求項２】
前記制御部は、前記電力残量取得手段によって取得された前記バッテリーの供給可能電力の残量から、運転可能な残り時間を算出する運転可能時間算出手段をさらに備えており、
前記判断手段は、前記運転可能時間算出手段により算出された前記残り時間が第１所定時間以下である場合に、前記モード切替手段による運転モードの切り替えが必要であると判断することを特徴とする請求項１に記載の環境試験装置。  
【請求項３】
前記試験部は、前記試験室の温湿度を調整する空調機器をさらに備えており、
前記モード切替手段によって運転モードの切り替えが行われた際に、前記空調機器の制御が切り替えられることを特徴とする請求項１又は２に記載の環境試験装置。
【請求項４】
前記空調機器は、前記試験室を加熱する加熱装置及び冷却する冷却装置を含んでおり、
前記モード切替手段は、前記判断手段により運転モードの切り替えが必要であると判断された場合に、前記加熱装置又は前記冷却装置の少なくとも一方の消費電力を少なくするような前記省電力モードに切り替えることを特徴とする請求項３に記載の環境試験装置。
【請求項５】
前記モード切替手段は、前記判断手段により運転モードの切り替えが必要であると判断された場合に、前記試料に結露が生じないように湿度を調整しつつ前記試験室の温度が常温になるように前記空調機器が制御される前記条件変更モードに切り替えることを特徴とする請求項３に記載の環境試験装置。
【請求項６】
前記試料は電子機器であり、
前記試験部は、前記電子機器に通電する通電手段をさらに備えており、
前記空調機器は、前記試験室を加熱する加熱装置、前記試験室を加湿する加湿ヒータ、及び前記試験室を冷却する冷却装置とを含んでおり、
前記モード切替手段は、前記判断手段により運転モードの切り替えが必要であると判断された場合に、前記電子機器、前記加熱装置、及び前記加湿ヒータよりも前記冷却装置への通電が優先されるような前記条件変更モードに切り替えることを特徴とする請求項３に記載の環境試験装置。
【請求項７】
前記モード切替手段は、前記判断手段により運転モードの切り替えが必要であると判断された場合に、前記空調機器による前記試験室の湿度の制御を中止し、前記試験室の温度のみを調整する、前記条件変更モードに切り替えることを特徴とする請求項３に記載の環境試験装置。  
【請求項８】
前記制御部は、前記試験部の状態に関する情報を記憶する状態記憶手段をさらに備えており、
前記状態記憶手段は、前記モード切替手段により前記通常モードから前記条件変更モードに切り替えられたときも、引き続き前記試験部の状態に関する情報を記憶することを特徴とする請求項１〜７のいずれか１項に記載の環境試験装置。
【請求項９】
外部電源から電力が供給され、試験室に配置された試料の雰囲気状態を所定条件に変化させて試験を行う試験部と、
外部電源から電力が供給され、前記試験部を制御する制御部と、
前記制御部と通信可能に接続されていると共に、外部電源からの電力供給が遮断された際に前記外部電源に代わって前記試験部及び前記制御部に電力を供給するバッテリーとを備えた環境試験装置の制御方法であって、
前記バッテリーの供給可能電力の残量を取得する電力残量取得ステップと、
前記試験部の運転モードを、前記試料の雰囲気状態を前記所定条件とする通常モードから、前記通常モードよりも消費電力を少なくしつつ前記所定条件で試験を行う省電力モード又は前記試料の雰囲気状態を前記所定条件から変更する条件変更モードに切り替えるモード切替ステップと、
前記電力残量取得ステップにおいて取得された前記バッテリーの供給可能電力の残量に基づいて、前記モード切替ステップにおける運転モードの切り替えの要否を判断する判断ステップとを備えていることを特徴とする環境試験装置の制御方法。
【請求項１０】
前記電力残量取得ステップにおいて取得された前記バッテリーの供給可能電力の残量から、運転可能な残り時間を算出する運転可能時間算出ステップをさらに備えており、
前記判断ステップにおいては、前記運転可能時間算出ステップにより算出された前記残り時間が第１所定時間以下である場合に、前記モード切替ステップにおける運転モードの切り替えが必要であると判断することを特徴とする請求項９に記載の環境試験装置の制御方法。
【発明の詳細な説明】
【技術分野】
【０００１】
本発明は、試料の雰囲気状態を所定条件に変化させて試験を行う環境試験装置に関する。
【背景技術】
【０００２】
製品や部品等の試料の性能や耐久性を調べるために、試料が配置された空間の温度や湿度等を所定条件に変化させる環境試験を行う環境試験装置が知られている（例えば、特許文献１参照）。かかる環境試験装置は、試料が配置される試験室と、空気を冷却する蒸気圧縮式の冷凍機と、空気を加熱する加熱ヒータと、空気を加湿する加湿装置と、冷凍機、加熱ヒータ、及び加湿装置によって温湿度が調整された空気を試験室に送り込む送風機とを主に備えている。また、試料に電線が取り付けられて、通電可能になっている場合がある。
【０００３】
【特許文献１】特開２０１３−７２６８０号公報
【発明の概要】
【発明が解決しようとする課題】
【０００４】
上述のような環境試験装置では、試験室内の温湿度を調整するための冷凍機、加熱ヒータ、加湿装置、及び送風機を運転するため、また必要に応じて試料に通電するために電力が必要である。特に、冷凍機の運転には大きな電力が必要であるので、商用電源から電力を供給するのが一般的である。
【０００５】
しかしながら、商用電源のみから電力を供給する場合には、自然災害や電源施設の故障等で停電が生じた場合に、試験が中断されてしまう。このような場合には後に再試験を行う必要があり、試験効率が低下する。また、突然電力供給が止まることで、試験室内の温湿度の急激な変化による試料の表面への結露の発生等により試料が損傷する場合がある。そこで、バックアップ用の電源としてバッテリーを備えておき、停電時には商用電源に代えてバッテリーにより電力供給を行うことが考えられる。しかしながら、停電が長時間にわたり、バッテリーの供給電力の残量が０となったときには、試験の中断が生じ、また試料が損傷する恐れがある。
【０００６】
そこで、本発明の目的は、試験の中断や試料の損傷が生じるのを抑制できる環境試験装置を提供することにある。
【課題を解決するための手段】
【０００７】
第１の発明にかかる環境試験装置は、外部電源から電力が供給され、試験室に配置された試料の雰囲気状態を所定条件に変化させて試験を行う試験部と、外部電源から電力が供給され、前記試験部を制御する制御部と、前記制御部と通信可能に接続されていると共に、外部電源からの電力供給が遮断された際に前記外部電源に代わって前記試験部及び前記制御部に電力を供給するバッテリーとを備えた環境試験装置である。前記制御部は、前記バッテリーの供給可能電力の残量を取得する電力残量取得手段と、前記試験部の運転モードを、前記試料の雰囲気状態を前記所定条件とする通常モードから、前記通常モードよりも消費電力を少なくしつつ前記所定条件で試験を行う省電力モード又は前記試料の雰囲気状態を前記所定条件から変更する条件変更モードに切り替えるモード切替手段と、前記電力残量取得手段によって取得された前記バッテリーの供給可能電力の残量に基づいて、前記モード切替手段による運転モードの切り替えの要否を判断する判断手段とを備えている。
【０００８】
この環境試験装置は、運転モードを省電力モードに切り替えることで、試験を長く継続させて試験が中断され難くすることができる。また、条件変更モードに切り替えることで、バッテリーからの電力供給が終了するのに備えて試料の雰囲気状態を試験を行う際の所定条件から変化させ、電力供給終了による試料の損傷を抑制することができる。
【０００９】
第２の発明にかかる環境試験装置は、第１の発明にかかる環境試験装置において、前記制御部は、前記電力残量取得手段によって取得された前記バッテリーの供給可能電力の残量から、運転可能な残り時間を算出する運転可能時間算出手段をさらに備えており、前記判断手段は、前記運転可能時間算出手段により算出された前記残り時間が第１所定時間以下である場合に、前記モード切替手段による運転モードの切り替えが必要であると判断してもよい。
【００１０】
この環境試験装置では、バッテリーの供給可能電力の残量が少なくなるのに伴って運転可能な残り時間も次第に短くなり、残り時間が第１所定時間以下となった場合に運転モードを通常モードから省電力モードまたは条件変更モードに切り替えることができる。したがって、バッテリーからの電力供給が終了する前に確実に省電力モードまたは条件変更モードに切り替えることができる。
【００１１】
本発明の環境試験装置は、第１の発明にかかる環境試験装置において、前記電力残量取得手段によって取得された前記バッテリーの供給可能電力の残量が所定量以下である場合に、警報を発する警報手段をさらに備えていることが好ましい。
【００１２】
本発明の環境試験装置は、第２の発明にかかる環境試験装置において、前記運転可能時間算出手段により算出された前記残り時間が、前記第１所定時間よりも長い第２所定時間以下である場合に、警報を発する警報手段をさらに備えていることが好ましい。
【００１３】
これらの環境試験装置では、モード切替手段によって運転モードの切り替えが行われる前にその旨をユーザに知らせることができる。
【００１４】
本発明の環境試験装置は、第１又は第２の発明にかかる環境試験装置において、前記モード切替手段による運転モードの切り替えが可能な状態と不可能な状態とのいずれかを設定する指示がユーザにより入力される切替可否設定部をさらに備えていることが好ましい。
【００１５】
この環境試験装置では、ユーザの意思により、モード切替手段により運転モードの切り替えが行われる状態と行われない状態とのいずれかを選択できる。
【００１６】
第３の発明にかかる環境試験装置は、第１又は第２の発明にかかる環境試験装置において、前記試験部は、前記試験室の温湿度を調整する空調機器をさらに備えており、前記モード切替手段によって運転モードの切り替えが行われた際に、前記空調機器の制御が切り替えられてもよい。
【００１７】
この環境試験装置では、空調機器の運転状態を変更して運転モードを切り替えることができる。
【００１８】
第４の発明にかかる環境試験装置は、第３の発明にかかる環境試験装置において、前記空調機器は、前記試験室を加熱する加熱装置及び冷却する冷却手装置を含んでおり、前記モード切替手段は、前記判断手段により運転モードの切り替えが必要であると判断された場合に、前記加熱装置又は前記冷却装置の少なくとも一方の消費電力を少なくするような前記省電力モードに切り替えてもよい。
【００１９】
この環境試験装置では、加熱装置又は冷却装置の少なくとも一方の消費電力を少なくすることで、試験を長く継続させて試験が中断され難くすることができる。
【００２０】
本発明にかかる環境試験装置は、第１〜第４のいずれかの発明にかかる環境試験装置において、ユーザに対して前記試験部の運転状況を知らせる報知手段をさらに備えており、前記モード切替手段は、前記判断手段により運転モードの切り替えが必要であると判断された場合に、前記報知手段の消費電力が少なくなるような前記省電力モードに切り替えてもよい。
【００２１】
この環境試験装置では、報知手段の消費電力を少なくすることで、試験を長く継続させて試験が中断され難くすることができる。
【００２２】
第５の発明にかかる環境試験装置は、第３の発明にかかる環境試験装置において、前記モード切替手段は、前記判断手段により運転モードの切り替えが必要であると判断された場合に、前記試料に結露が生じないように湿度を調整しつつ前記試験室の温度が常温になるように前記空調機器が制御される前記条件変更モードに切り替えてもよい。
【００２３】
この環境試験装置では、バッテリーからの電力供給が終了しても結露により試料が損傷するのを抑制できる。
【００２４】
第６の発明にかかる環境試験装置は、第３の発明にかかる環境試験装置において、前記試料は電子機器であり、前記試験部は、前記電子機器に通電する通電手段をさらに備えており、前記空調機器は、前記試験室を加熱する加熱装置、前記試験室を加湿する加湿ヒータ、及び前記試験室を冷却する冷却装置とを含んでおり、前記モード切替手段は、前記判断手段により運転モードの切り替えが必要であると判断された場合に、前記電子機器、前記加熱装置、及び前記加湿ヒータよりも前記冷却装置への通電が優先されるような前記条件変更モードに切り替えてもよい。
【００２５】
この環境試験装置では、バッテリーからの電力供給が終了しても試料が燃えて損傷するのを抑制できる。
【００２６】
第７の発明にかかる環境試験装置は、第３の発明にかかる環境試験装置において、前記モード切替手段は、前記判断手段により運転モードの切り替えが必要であると判断された場合に、前記空調機器による前記試験室の湿度の制御を中止し、前記試験室の温度のみを調整する、前記条件変更モードに切り替えてもよい。
【００２７】
この環境試験装置では、温度の急激な変化による結露によって試料が損傷するのを抑制することができる。
【００２８】
本発明にかかる環境試験装置は、第５〜第７の発明にかかる環境試験装置において、ユーザに対して前記試験部の運転状況を知らせる報知手段をさらに備えており、前記制御部は、前記モード切替手段により運転モードが前記条件変更モードに切り替えられた際に、前記報知手段の消費電力が少なくなるように制御してもよい。
【００２９】
この環境試験装置では、報知手段の消費電力を少なくすることで試料の損傷を抑制するための制御に残りの電力を使用することができる。よって、確実に試料の損傷を抑制することができる。
【００３０】
本発明にかかる環境試験装置は、第１〜第７のいずれかの発明にかかる環境試験装置において、前記モード切替手段により通常モードから切り替えられる運転モードを、前記省電力モードと前記条件変更モードとのいずれかに設定する指示がユーザにより入力される運転モード設定部をさらに備えていることが好ましい。
【００３１】
この環境試験装置では、ユーザの意思により、モード切替手段により通常モードから切り替えられる運転モードを省電力モードとするか条件変更モードとするかを選択できる。
【００３２】
第８の発明にかかる環境試験装置は、第１〜第７のいずれかの発明にかかる環境試験装置において、前記制御部は、前記試験部の状態に関する情報を記憶する状態記憶手段をさらに備えており、前記状態記憶手段は、前記モード切替手段により前記通常モードから前記条件変更モードに切り替えられたときも、引き続き前記試験部の状態に関する情報を記憶する。
【００３３】
この環境試験装置では、条件変更モードに切り替えられて試料の雰囲気状態が試験が行われる所定条件から変更された場合であっても、状態記憶手段に記憶された試験部の状態に関する情報により、再試験の必要性の判断等を行うことができる。
【００３４】
第９の発明にかかる環境試験装置の制御方法は、外部電源から電力が供給され、試験室に配置された試料の雰囲気状態を所定条件に変化させて試験を行う試験部と、外部電源から電力が供給され、前記試験部を制御する制御部と、前記制御部と通信可能に接続されていると共に、外部電源からの電力供給が遮断された際に前記外部電源に代わって前記試験部及び前記制御部に電力を供給するバッテリーとを備えた環境試験装置の制御方法である。そして、前記バッテリーの供給可能電力の残量を取得する電力残量取得ステップと、前記試験部の運転モードを、前記試料の雰囲気状態を前記所定条件とする通常モードから、前記通常モードよりも消費電力を少なくしつつ前記所定条件で試験を行う省電力モード又は前記試料の雰囲気状態を前記所定条件から変更する条件変更モードに切り替えるモード切替ステップと、前記電力残量取得ステップにおいて取得された前記バッテリーの供給可能電力の残量に基づいて、前記モード切替ステップにおける運転モードの切り替えの要否を判断する判断ステップとを備えている。
【００３５】
この制御方法によると、運転モードを省電力モードに切り替えることで、試験を長く継続させて試験が中断され難くすることができる。また、条件変更モードに切り替えることで、バッテリーからの電力供給が終了するのに備えて試料の雰囲気状態を試験を行う際の所定条件から変化させ、電力供給終了による試料の損傷を抑制することができる。
【００３６】
第１０の発明にかかる環境試験装置の制御方法は、第９の発明にかかる制御方法において、前記電力残量取得ステップにおいて取得された前記バッテリーの供給可能電力の残量から、運転可能な残り時間を算出する運転可能時間算出ステップをさらに備えており、前記判断ステップにおいては、前記運転可能時間算出ステップにより算出された前記残り時間が第１所定時間以下である場合に、前記モード切替ステップにおける運転モードの切り替えが必要であると判断してもよい。
【００３７】
この制御方法では、バッテリーの供給可能電力の残量が少なくなるのに伴って運転可能な残り時間も次第に短くなり、残り時間が第１所定時間以下となった場合に運転モードを通常モードから省電力モードまたは条件変更モードに切り替えることができる。したがって、バッテリーからの電力供給が終了する前に確実に省電力モードまたは条件変更モードに切り替えることができる。
【発明の効果】
【００３８】
運転モードを省電力モードに切り替えることで、試験を長く継続させて試験が中断され難くすることができる。また、条件変更モードに切り替えることで、バッテリーからの電力供給が終了するのに備えて試料の雰囲気状態を試験を行う際の所定条件から変化させ、電力供給終了による試料の損傷を抑制することができる。
【図面の簡単な説明】
【００３９】
【図１】本発明の実施形態にかかる環境試験装置の概略構成を示す側面図である。
【図２】図１の電源部の概略構成を示すブロック図である。
【図３】図１のコントローラの概略構成を示すブロック図である。
【図４】図１の環境試験装置の動作を示すフローチャートである。
【発明を実施するための形態】
【００４０】
以下、本発明の好適な実施の形態について、図面を参照しつつ説明する。
【００４１】
本発明の一実施形態にかかる環境試験装置１００は、図１に示すように、試験部１、電源部３、及びコントローラ４を主に備えている。試験部１は、後述する試験室１３に配置された試料Ｍの雰囲気状態を所定の試験条件に沿って変化させ試験を行うものである。本実施例では、試験部１は試験室１３の温湿度を調整する空調機器２を備えており、温湿度を所定の試験条件に沿って変化させる試験が行われる。コントローラ４は、環境試験装置１００全体を制御するものである。電源部３は、試験部１及びコントローラ４に電力を供給するものであり、且つコントローラ４と有線または無線の通信回路により通信可能に接続されている。
【００４２】
試験部１は、内部に空間１ａを有する略直方体形状の試験槽１１と、試験槽１１内の空間１ａを仕切る仕切り壁１２と、仕切り壁１２によって分離され且つ仕切り壁１２に形成された上部孔１２ａ及び下部孔１２ｂを介して互いに連通した試験室１３及び空調室１４と、空調室１４に収容された空調機器２とを含んでいる。試験室１３には、試料Ｍを載置するための載置台１８、及び温度と湿度との検出が可能な温湿度センサ１５が配置されている。本実施形態においては、試料Ｍは電子材料や半導体素子等の電子機器とする。試料Ｍに通電するためのケーブル１６は、試験槽１１に形成された挿通孔１７を介して試験槽１１内に引き込まれている。
【００４３】
空調機器２は、送風機２１、空気ヒータ２２、冷却除湿装置２３、及び加湿装置２４を有している。空気ヒータ２２は空調室１４内の空気を加熱するものであり、例えばシーズヒータ等の電熱ヒータからなる。冷却除湿装置２３は空調室１４内の空気を冷却したり除湿したりするものであり、本実施形態では蒸気圧縮式冷凍機を採用することとするが、ペルチェ素子、スターリング冷却器、ヒートパイプ、ヒートレーン等を用いることもできる。加湿装置２４は空調室１４内の空気を加湿するものであり、容器内の水を加熱する加湿ヒータ２４ａを備えている。これら送風機２１、空気ヒータ２２、冷却除湿装置２３、及び加湿装置２４は、コントローラ４によってその出力がそれぞれ制御される。
【００４４】
試験室１３から下部孔１２ｂを通って空調室１４に流入した空気は、順次、加湿装置２４、冷却除湿装置２３、及び空気ヒータ２２によってその温度及び湿度が調整され、所定の温度及び湿度となった状態で送風機２１により上部孔１２ａを介して再び試験室１３に流入する。なお、送風機２１によって空調室１４内の空気が試験室１３に送り出されることで、試験室１３内の空気が下部孔１２ｂを通って空調室１４内に流入する。こうして、試験室１３と空調室１４との間を空気が循環する。
【００４５】
なお、後で詳述するように、試験部１は、コントローラ４の制御により、停電が発生していない通常時は通常モードで運転され、停電が発生した場合には省電力モード及び条件変更モードのいずれかのモードに切り替えて運転することができる。
【００４６】
図２に示すように、電源部３は、家庭用１００Ｖ電源や工場用２００Ｖ電源等の商用電源１０に接続されており、商用電源１０の電圧を検出する第１電圧計５３、ニッケル水素電池等のバッテリー５１、バッテリー５１を充電するための充電器５２、バッテリー５１の電圧を検出する第２電圧計５４、及びインバータ５５等で構成される。充電器５２は、バッテリー５１が常にフル充電状態となるように適宜に作動される。電源部３は、通常時は商用電源１０からの電力を試験部１及びコントローラ４に供給し、停電時にはバッテリー５１に貯えられた電力を試験部１及びコントローラ４に供給する。
【００４７】
図３に示すように、コントローラ４は、空調機器２である送風機２１、空気ヒータ２２、冷却除湿装置２３、及び加湿装置２４とそれぞれ電気的に接続されている。また、コントローラ４には、試験室１３内の温湿度や試験時間等を表示してユーザに対して試験部１の運転状況を知らせる表示部５と、ユーザにより試験条件や各種設定等の指示が入力される設定部６、及びバッテリー５１による電力供給が行われている際に、運転可能時間が所定時間以下となった際にアラーム音を鳴らしユーザに対して警報を発するブザー７が接続されている。本実施形態においては、設定部６では、試験部１の運転モードの切り替えが可能な状態と不可能な状態とのいずれかの設定、及び停電発生時に通常モードから切り替えられる運転モードを、省電力モードと条件変更モードとのいずれかにするかの設定を入力できるようになっている。
【００４８】
コントローラ４は、例えば汎用のパーソナルコンピュータによって構成されている。かかるコンピュータには、ＣＰＵ、ＲＯＭ、ＲＡＭ、ハードディスクなどのハードウェアが収納されており、ハードディスクには、環境試験装置１００の全体の動作を制御するためのプログラムを含む各種のソフトウェアが記憶されている。そして、これらハードウェア及びソフトウェアが組み合わされることによって、空調機器制御部４１、表示制御部４２、試料通電制御部４３、運転可能時間算出部４４、警報制御部４５、状態記憶部４６、モード切替部４７、及び判断部４８が構築されている。
【００４９】
空調機器制御部４１は、空調機器２である送風機２１、空気ヒータ２２、冷却除湿装置２３、及び加湿装置２４の駆動をそれぞれ制御し、試験室１３の温湿度を調整する。なお、空気ヒータ２２単独、冷却除湿装置２３単独、加湿装置２４単独で試験室１３の温湿度を所望の環境に維持するのは一般に困難であり、通常はこれら三者のうち二者または三者を同時に駆動させている。すなわち例えば、蒸気圧縮式冷凍機である冷却除湿装置２３により湿度を低下させる場合には、湿度だけを低下させることはできず温度も低下してしまうので空気ヒータ２２により温度の調整を行う必要がある。また、加湿ヒータ２４ａを備えた加湿装置２４により湿度を上昇させる場合には、湿度だけを上昇させることはできずヒータの熱により温度も上昇してしまうので冷却除湿装置２３により温度の調整を行う必要がある。表示制御部４２は、表示部５の駆動を制御する。試料通電制御部４３は、試料Ｍへの通電を制御する。
【００５０】
運転可能時間算出部４４は、バッテリー５１による電力供給が行われている際に、バッテリー５１によって運転可能な残り時間を算出する。具体的には、電源部３の第２電圧計５４によって検出されたバッテリー５１の電圧値を取得し、この電圧値に基づきバッテリー５１の供給可能電力の残量を求め、設定されている試験条件から空調機器２で今後消費される電力を勘案しつつ残り時間を算出する。
【００５１】
警報制御部４５は、運転可能時間算出部４４により算出された残り時間が第１所定時間よりも長い第２所定時間以下である場合に、ブザー７を鳴らす。状態記憶部４６は、試験部１の温湿度や通電状態等を記憶する。
【００５２】
モード切替部４７は、試験部１の運転モードを通常モードから省電力モード及び条件変更モードのいずれかに切り替えるものである。ここで通常モードとは、試験室１３の温湿度を設定済みの試験条件に沿って制御するモードである。省電力モードとは、通常モードよりも消費電力を少なくしつつ、試験室１３の温湿度を設定済みの試験条件に沿って制御するモードである。条件変更モードとは、試験室１３の温湿度を設定済みの試験条件から変更するように制御するモードである。より具体的には、条件変更モードでは、試験部１への電力供給が終了しても試料Ｍが損傷するのを抑制するように、電力供給が終了する前に試験室１３の温湿度を制御する。なお、上述のように、モード切替部４７による運転モードの切り替えの可否、及びモード切替部４７により通常モードから切り替えられる運転モードを省電力モードとするか条件変更モードとするかは、ユーザにより設定可能となっている。
【００５３】
本実施形態においては、モード切替部４７により運転モードが通常モードから省電力モードに切り替えられた際には、空調機器制御部４１及び表示制御部４２は空調機器２と表示部５の消費電力が少なくなるようにそれぞれ制御する。具体的には、例えば試験室１３内を高温に保つ試験を行っている際には、空調機器制御部４１は冷却除湿装置２３への通電を中止する。また、試験室１３内を低温に保つ試験を行っている際には、空調機器制御部４１は空気ヒータ２２への通電を中止する。これにより試験環境の制御は多少乱れる恐れはあるが、試験を継続することができる。なお、その他予め定められた省エネ運転方法での運転に切り替えてもよい。さらに、表示制御部４２は表示部５への通電を中止する。これによりユーザに試験部１の運転状況を知らせることはできなくなるが、試験を継続することができる。
【００５４】
モード切替部４７により運転モードが通常モードから条件変更モードに切り替えられた際には、バッテリー５１による電力供給が終了しても試料Ｍに結露が生じないようにするために、空調機器制御部４１は試験室１３内の湿度を低下させてから試験室１３内を常温にするように空調機器２を制御する。すなわち、通常モードにおいて加湿装置２４を駆動していた場合には、まず加湿装置２４への通電を中止する。そして冷却除湿装置２３により試験室１３内の湿度を所定値まで低下させ、その後送風機２１、空気ヒータ２２、及び冷却除湿装置２３への通電を中止する。また、表示制御部４２は表示部５への通電を中止する。これによりユーザに試験部１の運転状況を知らせることはできなくなるが、結露を抑制するための制御に残りの電力を使用することができる。さらに、モード切替部４７により運転モードが通常モードから条件変更モードに切り替えられたときにも、状態記憶部４６は、引き続き試験部１の温湿度や通電状態等を記憶する。
【００５５】
判断部４８は、運転可能時間算出部４４によって算出されたバッテリー５１の運転可能な残り時間に基づいて、モード切替部４７による運転モードの切り替えの要否を判断する。具体的には、運転可能時間算出部４４によって算出されたバッテリー５１の運転可能な残り時間が第１の所定時間以下である場合に、モード切替部４７により運転モードを通常モードから省電力モードまたは条件変更モードに切り替える必要があると判断する。
【００５６】
次に図４を参照しつつ、本実施形態の環境試験装置１００の動作について説明する。まず、商用電源１０から供給された電力により設定済みの試験条件に沿って通常モードで試験が開始されると、停電の有無の検出が行われる（ステップＳ１）。具体的には、例えば第１電圧計５３の検出値が、商用電源１０の定格電圧値（定格電圧範囲）を下回ったときに停電とみなす。ステップＳ１での判断は停電が検出されるまで繰り返し行われる。停電が検出された場合には（ステップＳ１：ＹＥＳ）、電力供給源が商用電源１０からバッテリー５１に切り替えられる（ステップＳ２）。
【００５７】
続いて、停電復帰したか否かの判断が行われる（ステップＳ３）。停電復帰したと判断された場合には（ステップＳ３：ＹＥＳ）、電力供給源がバッテリー５１から商用電源１０に戻され（ステップＳ４）、再度ステップＳ１での停電の有無の検知が行われる。一方、停電復帰していないと判断された場合には（ステップＳ３：ＮＯ）、運転可能時間算出部４４により算出されたバッテリー５１の運転可能な残り時間が第２所定時間以下であるか否かが判断される（ステップＳ５）。
【００５８】
残り時間が第２所定時間以下であると判断されない場合には（ステップＳ５：ＮＯ）、ステップＳ３に戻って停電復帰したか否かの判断が行われる。そして、残り時間が第２所定時間以下と判断された場合には（ステップＳ５：ＹＥＳ）、警報制御部４５の制御によりブザー７が鳴らされる（ステップＳ６）。なお、ブザー７はユーザによって止められるまで鳴り続けるのが望ましい。続いて、停電復帰したか否かの判断が行われる（ステップＳ７）。停電復帰したと判断された場合には（ステップＳ７：ＹＥＳ）、電力供給源がバッテリー５１から商用電源１０に戻され（ステップＳ８）、再度ステップＳ１での停電の有無の検知が行われる。一方、停電復帰していないと判断された場合には（ステップＳ７：ＮＯ）、バッテリー５１の運転可能な残り時間が第１所定時間以下であるか否かが判断される（ステップＳ９）。
【００５９】
残り時間が第１所定時間以下であると判断されない場合には（ステップＳ９：ＮＯ）、ステップＳ７に戻って停電復帰したか否かの判断が行われる。そして、残り時間が第１所定時間以下と判断された場合には（ステップＳ９：ＹＥＳ）、運転モードの切り替えが可能な状態に設定されているか否かが判断される（ステップＳ１０）。運転モードの切り替えが不可能な状態に設定されている場合には（ステップＳ１０：ＮＯ）、後述するステップＳ１１〜１３を省略してステップＳ１４に進む。
【００６０】
一方、運転モードの切り替えが可能な状態に設定されている場合には（ステップＳ１０：ＹＥＳ）、通常モードから切り替えられる運転モードが省電力モードに設定されているか否かが判断される、（ステップＳ１１）。通常モードから切り替えられる運転モードが省電力モードに設定されている場合には（ステップＳ１１：ＹＥＳ）、モード切替部４７により試験部１の運転モードが通常モードから省電力モードに切り替えられ、空調機器２と表示部５との消費電力を少なくしつつ試験が継続される（ステップＳ１２）。また、通常モードから切り替えられる運転モードが条件変更モードに設定されている場合には（ステップＳ１１：ＮＯ）、モード切替部４７により試験部１の運転モードが通常モードから条件変更モードに切り替えられ、電力供給終了により試料Ｍに結露が生じるのを避けるために試験室１３内の湿度を低下させてから試験室１３内を常温にする制御が行われる（ステップＳ１３）。
【００６１】
続いて、停電復帰したか否かの判断が行われる（ステップＳ１４）。停電復帰したと判断された場合には（ステップＳ１４：ＹＥＳ）、電力供給源がバッテリー５１から商用電源１０に戻されると共に運転モードが通常モードに戻され（ステップＳ１５）、再度ステップＳ１での停電の有無の検知が行われる。一方、停電復帰していないと判断された場合には（ステップＳ１４：ＮＯ）、運転を終了するか否かの判断が行われる（ステップＳ１６）。すなわち、省電力モードでの運転が行われる場合には、試験が終了したか否かの判断が行われ、条件変更モードでの運転が行われている場合には、試験室１３内の湿度が所定値（例えば室温２５℃での水分量以下）まで低下し空調機器２への通電が中止されたか否かの判断が行われる。ここで、未だ運転が終了しないと判断された場合には（ステップＳ１６：ＮＯ）、上述のステップＳ１４に戻って停電復帰したか否かの判断が行われる。そして、運転を終了すると判断された場合には（ステップＳ１６：ＹＥＳ）、環境試験装置１００の全ての運転を終了する。
【００６２】
以上に述べたように、本実施形態にかかる環境試験装置１００は、商用電源１０のバックアップ用のバッテリー５１を有する電源部３と通信可能に接続されたコントローラ４を備えている。コントローラ４は、バッテリー５１の運転可能な残り時間を算出する運転可能時間算出部４４と、試験部１の運転モードを、試料Ｍの雰囲気状態を試験条件とする通常モードから、通常モードよりも消費電力を少なくしつつ試験条件で試験を行う省電力モード及び試料Ｍの雰囲気状態を試験条件から変更する条件変更モードのいずれかに切り替えるモード切替部４７と、運転可能時間算出部４４で算出されたバッテリー５１の運転可能な残り時間に基づいてモード切替部４７による運転モードの切り替えの要否を判断する判断部４８とを備えている。したがって、運転モードを省電力モードに切り替えることで、試験を長く継続させて試験が中断され難くすることができる。また、条件変更モードに切り替えることで、バッテリー５１からの電力供給が終了するのに備えて試料Ｍの雰囲気状態を試験条件から変化させ、電力供給終了による試料Ｍの損傷を抑制することができる。
【００６３】
また、本実施形態の環境試験装置１００では、判断部４８は、運転可能時間算出部４４により算出された残り時間が第１所定時間以下である場合に、モード切替部４７による運転モードの切り替えが必要であると判断する。したがって、バッテリー５１の供給可能電力の残量が少なくなるのに伴って運転可能な残り時間も次第に短くなり、残り時間が第１所定時間以下となった場合に運転モードを通常モードから省電力モードまたは条件変更モードに切り替えることができる。よって、バッテリー５１からの電力供給が終了する前に確実に省電力モードまたは条件変更モードに切り替えることができる。
【００６４】
さらに、本実施形態の環境試験装置１００は、運転可能時間算出部４４により算出された残り時間が第１所定時間よりも長い第２所定時間以下である場合に、アラーム音を鳴らしユーザに対して警報を発するブザー７を備えている。したがって、残り時間が第１所定時間以下となりモード切替部４７によって運転モードの切り替えが行われる前に、運転モードの切り替えが行われる旨をユーザに知らせることができる。
【００６５】
加えて、本実施形態の環境試験装置１００は、モード切替部４７による運転モードの切り替えが可能な状態と不可能な状態とのいずれかの設定、及びモード切替部４７により通常モードから切り替えられる運転モードを、省電力モードと条件変更モードとのいずれにするかの設定がユーザにより入力される設定部６をさらに備えている。したがって、ユーザの意思により、モード切替部４７により運転モードの切り替えが行われる状態と行われない状態とのいずれかを選択できる。また、ユーザの意思により、モード切替部４７により通常モードから切り替えられる運転モードを省電力モードとするか条件変更モードとするかを選択できる。
【００６６】
また、本実施形態の環境試験装置１００では、試験部１は試験室１３の温湿度を調整する空調機器２を備えており、モード切替部４７によって運転モードの切り替えが行われた際に、空調機器２の制御が切り替えられる。したがって、空調機器２の運転状態を変更して運転モードを切り替えることができる。
【００６７】
さらに、本実施形態の環境試験装置１００では、空調機器２は試験室１３を加熱する空気ヒータ２２及び冷却する冷却除湿装置２３を含んでおり、モード切替部４７は判断部４８により運転モードの切り替えが必要であると判断された場合に、空気ヒータ２２及び冷却除湿装置２３の消費電力を少なくするような省電力モードに切り替える。したがって、空気ヒータ２２及び冷却除湿装置２３の消費電力を少なくすることで、試験を長く継続させて試験が中断され難くすることができる。
【００６８】
加えて、本実施形態の環境試験装置１００では、ユーザに対して試験部１の運転状況を知らせる表示部５を備えており、モード切替部４７は、判断部４８により運転モードの切り替えが必要であると判断された場合に、表示部５の消費電力が少なくなるような省電力モードに切り替える。したがって、表示部５の消費電力が少なくすることで、試験を長く継続させて試験が中断され難くすることができる。
【００６９】
また、本実施形態の環境試験装置１００では、モード切替部４７は、判断部４８により運転モードの切り替えが必要であると判断された場合に、試料Ｍに結露が生じないように湿度を調整しつつ試験室１３の温度が常温になるように空調機器２が制御される条件変更モードに切り替える。したがって、バッテリー５１からの電力供給が終了しても結露により試料Ｍが損傷するのを抑制できる。
【００７０】
また、本実施形態の環境試験装置１００では、モード切替部４７により運転モードが条件変更モードに切り替えられた際に、表示制御部４２が表示部５への通電を中止する。したがって、表示部５で消費される電力を削り試料Ｍの損傷を抑制するための制御に残りの電力を使用することができる。よって、確実に試料Ｍの損傷を抑制することができる。
【００７１】
加えて、本実施形態の環境試験装置１００では、試験部１の状態に関する情報を記憶する状態記憶部４６をさらに備えており、状態記憶部４６は、モード切替部４７により通常モードから条件変更モードに切り替えられたときも、引き続き試験部１の状態に関する情報を記憶する。したがって、条件変更モードに切り替えられて試料Ｍの雰囲気状態が試験条件から変更された場合であっても、状態記憶部４６に記憶された試験部１の状態に関する情報により、再試験の必要性があるか、続きから試験を行うことができるか、試験途中で条件変更モードに変更したものの試験としては成立しているか等の判断を行うことができる。
【００７２】
（第１変形例）
次に、上述の実施形態の第１変形例について説明する。本変形例は、運転モードが条件変更モードに変更された際の制御のみが上述の実施形態と異なっている。すなわち本変形例においては、モード切替部４７により運転モードが通常モードから条件変更モードに切り替えられた際には、バッテリー５１による電力供給が終了しても試料Ｍが燃えないようにするために、試料Ｍ、空気ヒータ２２、及び加湿ヒータ２４ａよりも冷却除湿装置２３への通電が優先されるように制御する。具体的には、試験室１３内を高温に保つ試験を行っている際において、まず試料Ｍへの通電を中止し、続いて空気ヒータ２２及び加湿ヒータ２４ａへの通電を中止し、送風機２１と冷却除湿装置２３とへの通電は継続して試験室１３が常温になるように制御する。第１変形例によると、バッテリー５１からの電力供給が終了しても試料Ｍが燃えて損傷するのを抑制できる。
【００７３】
（第２変形例）
次に、上述の実施形態の第２変形例について説明する。本変形例は、運転モードが条件変更モードに変更された際の制御のみが上述の実施形態と異なっている。すなわち本変形例においては、モード切替部４７により運転モードが通常モードから条件変更モードに切り替えられた際には、空調機器２による試験室１３の湿度の制御を中止し、試験室１３の温度のみを調整する制御を行う。具体的には、加湿装置２４への通電を中止し、送風機２１、空気ヒータ２２、及び冷却除湿装置２３への通電は継続する。第２変形例によると、温度の急激な変化による試料Ｍへの結露により試料Ｍが損傷するのを抑制できる。
【００７４】
以上、本発明の好適な実施の形態について説明したが、本発明は上述の実施形態や実施例に限られるものではなく、特許請求の範囲に記載した限りにおいて様々な設計変更が可能なものである。
【００７５】
例えば上述の実施形態では、判断部４８が運転可能時間算出部４４によって算出されたバッテリー５１の運転可能な残り時間に基づいて、モード切替部４７による運転モードの切り替えの要否を判断する場合について説明した。また、警報制御部４５が運転可能時間算出部４４によって算出された残り時間が第２所定時間以下である場合にブザー７を鳴らす場合について説明した。しかしながら、これら判断部４８での判断及び警報制御部４５による制御は、バッテリー５１の供給可能電力の残量に基づいて行ってもよい。
【００７６】
また上述の実施形態では、設定部６で指示を入力することにより、試験部１の運転モードの切り替えが可能な状態と不可能な状態とのいずれかの設定、及び停電発生時に通常モードから切り替えられる運転モードを、省電力モードと条件変更モードとのいずれにするかの設定を行うことができるようになっている場合について説明したが、これらの設定はできなくてもよい。
【００７７】
また、上述の実施形態では、モード切替部４７によって通常モードから切り替えられるモードが省電力モード及び条件変更モードの２種類である場合について説明したが、通常モードから切り替えられるモードは省電力モードのみでもよいし、条件変更モードのみでもよい。また、省電力モードに切り替えた後、状況に応じて条件変更モードに切り替えるものであってもよい。
【００７８】
さらに上述の実施形態では、運転可能時間算出部４４によって算出されたバッテリー５１の運転可能な残り時間が第２所定時間以下である場合に警報を発する警報手段としてブザー７を備えている場合について説明したが、警報手段はこれに限定されるものではない。すなわち例えば、表示部５にメッセージを表示するようにしてもよいし、光を発するランプを備えていてもよい。また、警報手段は備えていなくてもよい（図４のフローチャートのＳ５、Ｓ６はなくてもよい）。
【００７９】
加えて上述の実施形態では、モード切替部４７により運転モードが通常モードから省電力モードに切り替えられた際に、空調機器２と表示部５との消費電力が少なくなるように制御する場合について説明したが、空調機器２及び表示部５のいずれか一方のみの消費電力が少なくなるように制御してもよい。
【００８０】
また上述の実施形態では、モード切替部４７により運転モードが通常モードから省電力モードに切り替えられた際も、条件変更モードに切り替えられた際も、表示制御部４２が表示部５への通電を中止する場合について説明したが、これには限定されない。すなわち例えば、表示制御部４２は表示部５に表示する情報量を少なくするなどし、表示部５の消費電力を少なくするようにしてもよい。
【００８１】
さらに上述の実施形態では、モード切替部４７により運転モードが通常モードから条件変更モードに切り替えられた際に、表示制御部４２が表示部５への通電を中止する場合について説明したが、これには限定されない。このような条件変更モードに切り替えられた際に表示部５の消費電力を少なくする制御は行われなくてもよい。
【００８２】
加えて上述の実施形態では、モード切替部４７により運転モードが通常モードから条件変更モードに切り替えられた際に、状態記憶部４６が引き続き試験部１の状態を記憶する場合について説明したが、条件変更モードに切り替えられた際に、状態記憶部４６による記憶を中止するようにしてもよい。
【００８３】
加えて条件変更モードは、条件を変更して運転し、その後停電復帰した場合に試験に復帰しやすい条件で運転するものでもよい。また条件変更モードは、試験条件を緩めて試験を継続するものであってもよい。さらに条件変更モードは、実施形態、第１変形例、及び第２変形例等を組み合わせたものであってもよい。
【００８４】
また上述の実施形態では、図４のステップＳ１１において省電力モードに設定されているか否かを判断しているが、条件変更モードに設定されているか否かを判断するものであってもよい。
【００８５】
さらに上述の実施形態では、試料が電子機器である場合について説明したが、これには限定されない。試料は部品等であってもよい。
【００８６】
また上述の実施形態では、試験室１３の温湿度を調整可能な環境試験装置について説明したが、本発明は湿度調整機能がなく温度のみを調整する環境試験装置に適用することもできる。
【符号の説明】
【００８７】
１  試験部
２  空調機器
３  電源部
４  コントローラ（制御部）
５  表示部（報知手段）
６  設定部（切替可否設定部、運転モード設定部）
７  ブザー（警報手段）
１０  商用電源（外部電源）
１３  試験室
１６  ケーブル（通電手段）
２２  空気ヒータ（加熱装置）
２３  冷却除湿装置
２４  加湿ヒータ
４４  運転可能時間算出部（電力残量取得手段、運転可能時間算出手段）
４６  状態記憶部（状態記憶手段）
４７  モード切替部（モード切替手段）
４８  判断部（判断手段）
５１  バッテリー
Ｍ  試料（電子機器）
【図１】
0005903411.tif 000002
【図２】
0005903411.tif 000003
【図３】
0005903411.tif 000004
【図４】
0005903411.tif 000005